(57)【要約】  エネルギー効率の向上、又は、音質の向上を目的として、吸湿繊維、無機イオン交換体影響繊維、超臨界影響繊維、及び、前記繊維のうちの２種以上の繊維を混合した複合繊維、又は、吸湿樹脂、無機イオン交換体影響樹脂、超臨界影響樹脂、及び、前記樹脂のうち２種以上を混合した混合樹脂を設けたケーブル、電源タップ、バッテリー、プリント基板、ＬＳＩ／ＩＣ等を提供し、また、機器又はバッテリーに電力を供給する電力供給方法を提供する。
2018056228.tif 000002
【特許請求の範囲】
【請求項１】
最外層に絶縁外皮を有する元ケーブルと、
前記元ケーブルの絶縁外皮上に設けられた第１材料と、
前記第１材料上に設けられ、アルミニウム、マグネシウム、銅、ロジウム、銀又は金を材料とした金属製のシースと、を備え、
前記第１材料が、吸湿繊維、無機イオン交換体影響繊維、超臨界影響繊維、及び、前記繊維のうちの２種以上の繊維を混合した複合繊維、又は、吸湿樹脂、無機イオン交換体影響樹脂、超臨界影響樹脂、及び、前記樹脂のうち２種以上を混合した混合樹脂であることを特徴とするケーブル。
【請求項２】
前記第１材料が、吸湿繊維、無機イオン交換体影響繊維、超臨界影響繊維、及び、前記繊維のうちの２種以上の繊維を混合した複合繊維であり、
前記第１材料には、銀イオンナノコロイド液と酸化タングステン含有液が含浸されていることを特徴とする請求項１に記載のケーブル。
【請求項３】
前記第１材料と前記シースの間に設けられた導電性繊維を備え、
前記導電性繊維には、銀イオンナノコロイド液と酸化タングステン含有液が含浸されていることを特徴とする請求項１又は請求項２のいずれか１項に記載のケーブル。
【請求項４】
機器又はバッテリーに電力を供給する電力供給方法であって、
請求項１から請求項３のいずれか１項に記載のケーブルを介して電力を機器又はバッテリーに供給することを特徴とする電力供給方法。
【請求項５】
前記ケーブルに電力が供給される前に、総合的に聴感上の周波数特性を補完する周波数特性の異なるケーブルを1本以上介在させて可聴帯域全域に渡りフラットに聴感上のエネルギーを上昇させることを特徴とする請求項４に記載の電力供給方法。
【請求項６】
バッテリーを備える機器であって、
請求項４又は請求項５の電力供給方法で充電が行われたバッテリーを備えることを特徴とする機器。
【請求項７】
電源タップの筐体、バッテリーの筐体、電気部品の筐体又は電気機器集合体の筐体のいずれか１つを有する機器であって、
前記筐体に接触させるように設けられた第１材料を備え、
前記第１材料が、吸湿繊維、無機イオン交換体影響繊維、超臨界影響繊維、及び、前記繊維のうちの２種以上の繊維を混合した複合繊維、又は、吸湿樹脂、無機イオン交換体影響樹脂、超臨界影響樹脂、及び、前記樹脂のうち２種以上を混合した混合樹脂であることを特徴とする機器。
【請求項８】
基板を有する機器であって、
基板のグランドプレーン専用面に接触させるように設けられた第１材料を備え、
前記第１材料が、吸湿繊維、無機イオン交換体影響繊維、超臨界影響繊維、及び、前記繊維のうちの２種以上の繊維を混合した複合繊維、又は、吸湿樹脂、無機イオン交換体影響樹脂、超臨界影響樹脂、及び、前記樹脂のうち２種以上を混合した混合樹脂であることを特徴とする機器。
【請求項９】
前記第１材料は、アルミニウム、マグネシウム、銅、ロジウム、銀又は金を材料とした金属製の薄膜テープで固定されていることを特徴とする請求項７又は請求項８に記載の機器。
【発明の詳細な説明】
【技術分野】
【０００１】
本発明は、ケーブル、機器、及び、電力供給方法に関するものである。
【背景技術】
【０００２】
従来の電気機器において、シールド材料として、筐体の場合、アルミダイキャストのようなアルミを中心とした金属材料が一般的に使用され、ケーブルの場合は、低周波では銅線の編組シールドまたは横巻きシールド、高周波ではアルミ箔のテープシールドが広く用いられている。シールドの効果とは、接地したシールドにて電位をアースに落とすことで外部ノイズとなる電磁波成分を遮蔽するマイナス効果をいう。
【発明の概要】
【発明が解決しようとする課題】
【０００３】
発明者は、ＡＣ電源で充電されたバッテリー搭載の電気機器でも通常のＡＣ電源の電気機器でも装置で使用されたＡＣ電源の固有の周波数の影響が、電気機器に流れる電子のエネルギー効率が低いという、下記に示す問題を起こすことを見いだした。【０００４】
従来の電気機器では、電気の源となる電源に一例として、日本の場合、５０Ｈｚや６０Ｈｚの単一の周波数の交流電源を元にしているため、電気機器に流れる電子のエネルギー効率が低いという問題がある。この事象はバッテリー搭載の電気機器においても元のバッテリーの充電時の交流の単一の周波数の影響を受けて、バッテリーに記録される電子のエネルギー効率が低いという同様の問題が起こる。【０００５】
従来の考え方として、電子そのもののレベルでは確定的に同質であり、電子の質の違いの概念は存在しなかった。【０００６】
本発明は上記背景に鑑みてなされたもので、機器等のエネルギー効率の向上、又は、音質の向上を目的とするものである。
【課題を解決するための手段】
【０００７】
本発明の第１発明は、ケーブル、電源タップ、バッテリー、プリント基板、ＬＳＩ／ＩＣ、その他の電気部品、又は、その他の電気機器において、吸湿繊維、吸湿樹脂、無機イオン交換体影響繊維、無機イオン交換体影響樹脂、超臨界影響繊維、または、超臨界影響樹脂または前記３種の繊維／樹脂を複合した繊維／樹脂を外皮として採用する手段を有する。ここで、吸湿繊維／樹脂とは、原料として、天然繊維／樹脂または合成繊維／樹脂を使用して、カルボキシル基またはカルボキシル基塩の親水基を重合させたポリマー繊維／樹脂のことを差すものとする。
第２発明は、用いられるケーブルとして第１発明の外皮を用いたケーブルを最低１本以上含むか、または用いられる電源タップとして第１発明の外皮とした電源タップを最低１台以上含むようにし、特性の異なるケーブルを複数直列に連結した手段を有する。
第３発明は、用いられる部品として第１発明のケーブル、第２発明のケーブル、第１発明の電源タップ、第１発明のバッテリー、第１発明のプリント基板、第１発明のＬＳＩ／ＩＣ部品、又は、第１発明のその他の電気部品を使用した手段を有する。
第４発明は、バッテリーまたはバッテリー搭載の電気機器において、第１発明のケーブル、第２発明のケーブル、または、第１発明の電源タップを使用してバッテリーに充電する方法に関する。また、その方法で充電したバッテリーおよびそのバッテリーを搭載した電気機器に関する。
第５発明は第４発明のさらなる効果の向上の付加条件として、第４発明の充電に使用されたケーブルまたは電源タップの供給源と同じ配電盤から供給する電源コンセントに、他の電気機器を接続して通電した状態で充電する方法に関する。
【発明の効果】
【０００８】
次に本発明の基本効果となる原理的な基本作用を説明する。
第１発明では、シールドのノイズ遮断効果という消極的なマイナス作用ではなく、電気機器又はケーブルに流れる電子の量子状態のエネルギー準位を上げるという積極的なプラスアルファーの全く新しい別の作用である。この作用は、吸湿繊維、吸湿樹脂、無機イオン交換体影響繊維、無機イオン交換体影響樹脂、超臨界影響繊維、超臨界影響樹脂、または、前記３種の繊維または樹脂を複合した繊維または樹脂で得られ、これは本来の吸湿とは別の全く新しい作用である。なお、この作用は、既存のケーブル、電源タップ、バッテリー、プリント基板、ＬＳＩ、ＩＣ、その他の電気部品、または、その他の電気機器に第１発明の吸湿繊維、吸湿樹脂、無機イオン交換体影響繊維、無機イオン交換体影響樹脂、超臨界影響繊維、超臨界影響樹脂、前記３種の繊維／樹脂を複合した繊維／樹脂の材質を一部でも張り付けるだけで容易に発現する。また、比較対象技術として、超電導は超低温という手段により、消費電流値を著しく上昇させてエコにならない作用があるのに対して、本発明は、常温で実現し、電流値を変えずに電子そのもののエネルギー効率を上げることによるエコという全く別の作用がある。【０００９】
第２発明は、第１発明の作用をさらに向上させるためのものである。従来の常識ではケーブルは短いほどいいという常識を覆し、第１発明の解決手段のケーブルを最低１本以上含む複数の性能の異なる性能の優れたケーブルを直列に連結して長くして使用することで、各ケーブルの量子状態のエネルギー準位の周波数特性の固有の凹凸のくせが平均化され、くせが少なくなり、各ケーブルの量子状態のエネルギー準位の高い周波数部分がすべて畳み込み積分されることで、周波数特性全域に渡り量子状態のエネルギー準位の上昇が起こる。【００１０】
この作用は、一般の性能の低いケーブルでは、従来の常識通り逆作用になるが、本発明の第１発明のケーブルを最低１本以上含む場合にのみ作用が現れるため、本発明の特有の作用である。部品に第１発明または第２発明のケーブルまたは第１発明の電源タップまたはバッテリーまたはプリント基板またはＬＳＩ／ＩＣ部品またはその他の電気部品を使用した第３発明の電気機器の場合、同じ設定でも従来との比較で総合的にその電気機器の持つ電気的または機械的出力エネルギーの向上の作用を有するようになる。【００１１】
さらに、従来の常識では、バッテリーに充電するケーブル等の電源の質でバッテリーの性能が変わるということが、認識されていなかったが、バッテリーまたはバッテリー搭載の電気機器において、第１発明または第２発明の電源ケーブルまたは第１発明の電源タップを使用してバッテリーに充電する方法で、初めてその方法で充電したバッテリーの性能が変わる作用を発見した。バッテリーに記録する電子の量子状態のエネルギー準位が高いため、バッテリーが改質される作用があるためである。【００１２】
ここで、本発明の量子的な原理作用を自ら証明する注目すべき点は、バッテリー自体は、周波数成分を全く持たない直流成分で、電子そのものの要因のみが伝達されて、その電子のエネルギー準位の上昇した量子状態が記録されてしまうことである。その結果、そのバッテリーを使用した電気機器の出力の向上と使用時間の延長の作用が得られることである。これは、バッテリーに記録する電子の量子状態のエネルギー準位が上昇して伝達し記録された証明となる事象である。この作用は、バッテリー搭載の第４発明の電気機器でも第３発明のＡＣ電源の電気機器でも作用の度合いは同じである。【００１３】
なお、第４発明を用いてバッテリーを充電する時に、充電に使用されるケーブルまたは電源タップの供給源と同じ配電盤から供給する電源コンセントに他の電気機器を接続して通電した状態で充電する方法の第５発明の手段を加えることによって、さらに電子の量子状態のエネルギー準位を上昇させる作用が高くすることができた。この第５発明の手段は、たとえ充電するバッテリーに行く電力ではなくても同じ配電盤から、供給される電力の消費電力を上昇させればさせるほど並列に接続されていることで、つられて充電するバッテリーに行く電子の量子状態のエネルギー準位が上昇するためである。なお、他の電気機器を接続した場合のこの作用は第４発明の条件ではない一般の条件では起こらないことから、第４発明の条件が本発明だけに起こる特有の必要条件になる。【００１４】
以上のように、本発明では、吸湿繊維、吸湿樹脂、無機イオン交換体影響繊維、無機イオン交換体影響樹脂、超臨界影響繊維、または、超臨界影響樹脂により、電気機器において、前記作用で第１発明から第５発明ごとに詳細に説明した量子状態のエネルギー準位を上げることができるようになった。【００１５】
量子物理学的な作用だけでは、わかりにくいため、以下に基本効果がさらに引き起こす副次効果の高い例を記述する。これは、あくまで副次効果の一例であって、本発明は、すべての電気機器において、広く汎用的に基本効果を発現させる可能性があることに莫大な価値があり有用性がある。【００１６】
トルクを必要とする機械的なモーター駆動系の電気機器で効果があり、特にＥＶ（電気自動車）のようなものへの適用では、あらゆる回転数でフラットかつ強大なトルク特性を持つようになり、加速のよいＥＶの駆動力の向上効果が得られる。加速がよくなると、アクセルを多く踏む必要性がなくなるため、燃費もよくなる副次効果も生まれる。【００１７】
これは、以下の電動アシスト自転車の一充電あたりの走行距離実測実験により、従来の充電方法と、本発明を適用した充電方法での差を確認した。標準モードでの走行パターンは、業界標準のパターンで、(1)平地３速１５ｋｍ／ｈで１ｋｍ、(2)４°上り坂２速１０ｋｍ／ｈで１ｋｍ、(3)平地３速１５ｋｍで１ｋｍ、(4)４°下り坂３速２０ｋｍ／ｈで１ｋｍのパターンの繰り返し連続走行による。
結果として
本発明適用前のバッテリーの電動アシスト自転車の走行距離実測
３６．１８ｋｍ
本発明適用後のバッテリーの電動アシスト自転車の走行距離実測
９５．４７ｋｍ
となった。２０１５年末時点でのＥＶのバッテリー技術では、バッテリー全体の部品を良質なものに改質しても約１．５倍が限界であるのに対して、約２．６倍の改善実績は驚異的とも言える技術レベルの性能である。また、ＥＶ系以外で、エネルギーが上昇するだけでなくさらにバッテリー容量を増やす副次効果もある。【００１８】
また、他の実験として下記の実験を行った。
市販の単三の充電式のニッケル水素電池において、従来の充電方法と、本発明を適用した充電方法でのＬＥＤ懐中電灯による照度と持続時間を測定した。
結果として
本発明適用前の照度と持続時間  １９５００ルクス  １００７分
本発明適用後の照度と持続時間  ２９５００ルクス  １５７１分
となった。
照度が大きくなっているのに関わらず、持続時間が延長しているという２つの効果が起こっており、総合的にエネルギーは約２．４倍となっており、ほぼ電動アシスト自転車の実験とつじつまが合う実績が得られた。これにより、本発明適用前よりも本発明適用後にバッテリー容量を増やす効果が証明された。
ただし、照度については、はじめに測定しただけのため、誤差が含まれている可能性があるが、照度が同じであるとしても、持続時間は約１．５７倍になっている。【００１９】
さらに、本発明の実験評価用の実施例として、図９を参照しながら後ほど説明する実施例９を使用した実験を実施した。
なお、本実験は、先の実験では、後述するように、測定誤差等が大きかった可能性を考えて、より正確な実験結果を得るために行っている。
実験車両として、ブリジストン電動アシスト自転車BKO85を実験条件として平地３速１５ｋｍ/ｈで人漕ぎで連続走行する走行パターンで実験した。
本発明適用前の新品のバッテリーを、家庭の壁に設けられている通常の壁コンセント８２（図９参照）にブリジストン電動アシスト自転車BKO85に附属の充電器９２を接続して充電し、そのように充電したバッテリーを当該実験車両（ブリジストン電動アシスト自転車BKO85）に取り付けて、当該車両附属の表示計で、ＦＬ（１００％）から０％になるまでの走行距離を実測した（以下、この通常の充電を行ったものを本発明適用前のバッテリーともいう。また、この充電を従来の充電ともいう。）。【００２０】
そして、その実験後に、実施例９の実験評価の構成（図９参照）で本発明の充電を電動アシスト自転車附属の充電器９２で、先ほどと同じバッテリーに充電し、そのように充電したバッテリーを当該実験車両（ブリジストン電動アシスト自転車BKO85）に取り付けて、当該車両附属の表示計で、ＦＬ（１００％）から０％になるまでの走行距離を実測した。【００２１】
具体的には、図９を参照しながら実施例９で説明するが、ブリジストン電動アシスト自転車BKO85に附属の充電器９２を、直接、家庭の壁に設けられている通常の壁コンセント８２（図９参照）に接続するのではなく、図９に示すように接続を行い、バッテリーへの充電を実施した（以下、この本発明の構成によって充電を行ったものを本発明適用後のバッテリーともいう。また、この充電を本発明の充電ともいう。）。【００２２】
なお、実施例９を使用した実験で、平地３速１５ｋｍ/ｈでの一定のアシスト持続性試験の方法を選択したのは、処理前（本発明適用前のバッテリー）と処理後（本発明適用後のバッテリー）の比較が精密に計測されるという理由で選択した。
つまり、いろいろな傾斜や速度が変わる複雑なマルチ走行負荷による試験であると、バッテリーへの負荷が大きくなったり小さくなったりで、負荷が大きなところで０％になる確率が集中し、厳密な発明前後の走行距離の比率が求められないため、その問題点を回避するために完璧に一定の負荷が持続する連続走行試験に統一しているという精度を重視した実験にしているわけである。
わかりやすくいえば、複雑なマルチ負荷条件では、負荷が切り替わる部分で加速による大幅な負荷の誤差がでやすく正確な比較測定が困難になるためである。【００２３】
そして、本発明適用前のバッテリーと本発明適用後のバッテリーでの電動アシスト自転車の走行距離実測結果は、以下のとおりであった。
走行距離実測結果：
本発明適用前のバッテリーの電動アシスト自転車の走行距離実測
７９．５２ｋｍ
本発明適用後のバッテリーの電動アシスト自転車の走行距離実測
１２４．２３ｋｍ【００２４】
この結果を見るとわかるとおり、本発明適用後のバッテリーを使用した場合、通常の充電を行った本発明適用前のバッテリーを使用したときと比較して、電動アシスト自転車の走行距離が約１５６％長い結果となっている。
この比較は、先に説明したように、精密な一定負荷の連続走行での正確な定量測定になっていることから、発明の効果の度合いが正確に示されたものになっていると言える。【００２５】
加えて、実施例９を使用した実験の他の実験として下記の実験も行った。
具体的には、オーディオプレーヤー９０（Apple/iPOD Shuffle ME949J/A）の充電を先の電動アシスト自転車で説明したのと同様に、極一般的な充電で行った場合（以下、従来の充電ともいう。）と本発明の充電で行った場合（以下、本発明の充電ともいう。）とで音質の変化を確認するブラインド音質実験を実施した。【００２６】
なお、ブラインド音質実験では、従来の充電の場合も本発明の充電の場合も、イヤホン９１にオーム電機  OHM  カナルインナーホン  ブルーHP-B140K-Aのイヤホンを使用して曲を試聴するようにし、試聴する試聴ソースとしてPerfume/LEVEL3の2曲目を用い、５名の試聴者に試聴させるようにした。
また、試聴回数は、各試聴者あたり、発明処理前後（従来の充電と本発明の充電）を１ペアとして、５回実施した。【００２７】
充電方法は、オーディオプレーヤー９０（Apple/iPOD Shuffle ME949J/A）を２台用意し、それぞれのオーディオプレーヤー９０に試聴ソースを入力し、片方のオーディオプレーヤー９０には、家庭の壁に設けられている普通の壁コンセント８２（図９参照）に直接、Apple/iPOD Shuffle ME949J/A附属のＡＣコンセント８８を接続して、そのＡＣコンセント８８にApple/iPOD Shuffle ME949J/A附属の充電ケーブル８９を接続し、その充電ケーブル８９にオーディオプレーヤー９０を接続して充電（従来の充電）を行った。【００２８】
また、もう一方のオーディオプレーヤー９０（Apple/iPOD Shuffle ME949J/A）には、後ほど実施例９で説明するが、図９の左から６番目の電源タップ８３（６）にApple/iPOD Shuffle ME949J/A附属のＡＣコンセント８８を接続し、そのＡＣコンセント８８にApple/iPOD Shuffle ME949J/A附属の充電ケーブル８９を接続し、その充電ケーブル８９にオーディオプレーヤー９０を接続して充電（本発明の充電）を行った。【００２９】
なお、本発明の充電を行った方のオーディオプレーヤー９０には、従来の充電を行った方のオーディオプレーヤー９０と識別できるように、セロハンテープを貼っておいた。【００３０】
そして、試聴者には、目隠し状態になってもらい、オーディオプレーヤー９０で再生される曲の試聴を行わせた。
ただし、従来の充電が行われているオーディオプレーヤー９０と本発明の充電が行われているオーディオプレーヤー９０のどちらで先に曲を再生し、どちらで後に曲を再生するから、実験提供者によって決められ、しかも順番をランダムにするようにした。【００３１】
このため、試聴者自身は、どちらの充電が行われたオーディオプレーヤー９０で曲の再生が行われているかがわからない状態になっており、その状態で試聴者に音質のいい方を選ぶ実験を実施した。
なお、従来の充電が行われているオーディオプレーヤー９０で曲の再生を行うときも、本発明の充電が行われているオーディオプレーヤー９０で曲の再生を行うときも、音量は、全く同一となるように設定した。【００３２】
そして、試聴者の５人の結果は、各人ともに５回の試聴のペアすべて、発明処理後（本発明の充電）の機器（オーディオプレーヤー９０）の方を音質がいい方と回答した。
したがって、１／（２＾２５）の確率で一致していることから、有意に発明処理後（本発明の充電）の音質の優位性が得られていると結論できる。【００３３】
なお、バッテリーへの充電状態の確認のために充電器の電源においてクランプメーターにて、充電時の消費電力、電流値を確認したところ、本発明の処理前の充電時と本発明の処理後の充電時で、消費電力、電流値の差は全く生じなかった。このことは、本発明は、充電の仕様として、メーカー標準の電力及び電流仕様を一切逸脱しないという保障がされることになる。これは、電力の量ではなく質の向上であると言え、本発明は、電力のエコに貢献する発明と言える。これは、エネルギー効率が高まっていると判断できるものである。【００３４】
ここに挙げられた例は、一例であり、吸湿繊維、吸湿樹脂、無機イオン交換体影響繊維、無機イオン交換体影響樹脂、超臨界影響繊維、または、超臨界影響樹脂または前記３種の繊維／樹脂を複合した繊維／樹脂を外皮として採用するケーブル、電源タップ、バッテリー、プリント基板、ＬＳＩ／ＩＣ部品、または、その他の電気部品を介して電気機器のバッテリーを充電することにより、電子の量子状態のエネルギー準位が上昇するという基本作用が適用されるので、結果的に同じ設定でも、従来の性能よりも電気的にエネルギー効率が高まり、出力エネルギーが高いバッテリーが得られるようになる。
以上のように本発明は、汎用的にすべての電気機器で同じ設定で光、音、磁気、電波、熱、イオン、機械的回転等の電気変換後の物理的なエネルギー出力が従来よりも上昇するという副次効果を得ることができる。
【図面の簡単な説明】
【００３５】
【図１】本発明の実施例１に係るケーブル体１の構造図である。
【図２】本発明の実施例２に係る電源タップ１１の構造図である。
【図３】本発明の実施例３に係るバッテリーの構造図である。
【図４】本発明の実施例４に係るプリント基板の構造図である。
【図５】本発明の実施例５に係るＬＳＩ／ＩＣ等のその他電気部品の構造図である。
【図６】本発明の実施例６に係るその他の電気機器の系統図である。
【図７】本発明の実施例７に係るケーブルの系統図である。
【図８】本発明の実施例８に係るバッテリー搭載の電気機器への充電系統図である。
【図９】本発明の実施例９の構成を説明するための図である。
【図１０】本発明の元電源ケーブルに用いることができる電源ケーブルの一例を示す図である。
【発明を実施するための形態】
【００３６】
（実施例１）
実施例１は、本発明をケーブル体１に適用した実施例である図１は透過的な構造を説明するもので、説明のために各材料の間隔を拡大して模式的に描かれているが、実際は密着している。ここでは、既存のケーブル７の絶縁外皮の外周に吸湿繊維２（第１材料ともいう。）を最大外周円周長×ケーブル長のサイズに切ったものを巻き、固定のためにシース４として、アルミテープでケーブル７の最外周全域を丁寧に横巻きしてコネクタ８の一部まで筒状に被覆する。ケーブル７は、電源ケーブルでもデジタル信号ケーブルでもアナログ信号ケーブルでもすべてのケーブルが適用できる。ケーブル両端のコネクタ８には、シース４を固定するために熱収縮チューブ５で固定される。図１では、模式的に熱収縮チューブ５が直線的に描かれているが、実際はコネクタ円周に収縮して密着した状態となる。ここで、さらに性能を上げるために、吸湿繊維２に日本蚕毛染色株式会社製のサンダーロン（商品名であり登録商品である）等の導電性繊維３を上に重ねて巻いても良い。この導電性繊維３の長さは、ケーブル７の長さよりも長くすると好ましいが、短くして一部分だけの使用でも十分効果を上昇させることができる。
【００３７】
まず、本発明の吸湿繊維／樹脂（吸湿繊維又は吸湿樹脂）の定義は、原料として、天然繊維／樹脂または合成繊維／樹脂を使用して、カルボキシル基またはカルボキシル基塩の親水基を重合させたポリマー繊維／樹脂である。なお、樹脂よりも表面積の大きくなる繊維の方が吸湿効果として好ましい。原料の繊維／樹脂の種類は作用を発現させるために問わないが、本発明の効果をより大きくするためには、親水基を重合させたポリマー繊維として、一般的にアクリル繊維を水酸化ナトリウム水溶液で加水分解したポリアクリル酸ナトリウム系繊維が主流で最も好ましい。なお、親水基を重合させるポリマー繊維に対して、一般的な架橋モノマーであるヒドラジン系化合物によるグラフト共重合による架橋処理をするのが通例となっている。
【００３８】
本発明の効果を増強させる手法として、導電性金属を担持させた導電性繊維／樹脂にすることが好ましい。導電性金属の担持の方法は、錯体の形で直接担持させたり、吸着により直接担持させたり、無機ケイ素化合物、リン酸塩、スルホン酸塩等で間接的に繊維／樹脂に担持させることで実現できる。本発明の吸湿繊維／樹脂の代用として、無機イオン交換体を担持させた吸湿繊維／樹脂以外の繊維／樹脂でもよいし、さらにより効果を増強するために無機イオン交換体を担持させた吸湿繊維／樹脂でもよい。無機イオン交換体は、リン酸ジルコニウム、ゼオライト、シリカゲル、ヒドロキシアパタイト、リン酸チタン（リン酸チタニア）、酸化タングステン等が好ましい。この場合も無機イオン交換体を担持させた繊維／樹脂にヒドラジン系化合物による架橋処理をしたものが好ましい。吸湿繊維／樹脂の時と同様に無機イオン交換体を担持させた繊維／樹脂にさらに導電性金属を担持させたものが好ましい。
【００３９】
本発明の吸湿繊維／樹脂の実施例について、市販の簡単な例を挙げると、架橋ポリアクリル酸ナトリウム系吸湿繊維である東洋紡株式会社製のモイスファイン（商品名であり登録商標である）と、帝人株式会社製のベルオアシス（商品名であり登録商標である）が代表例となり、最も効果が高くなる。これは、通常布団の下に敷く吸湿シートとして使用される用途が主要な用途のものであるが、本発明で全く新しい効果を発見した。
【００４０】
また、類似の繊維として、架橋アクリル系吸湿発熱繊維である美津濃株式会社製のプレスサーモ（商品名であり登録商標である）、日本エクスラン工業株式会社製のエクス（商品名）、株式会社ファーストリテイリング社製のヒートテック（商品名であり登録商標である）、イオン株式会社製のヒートファクト（商品名であり登録商標である）、株式会社  イトーヨーカ堂製のボディーヒーター（商品名であり登録商標である）、株式会社ジャパーナ製のアイヒート（商品名であり登録商標である）、東洋紡績株式会社製のモイスケア（商品名であり登録商標である）等が挙げられる。
【００４１】
これらは、衣服の汗を吸湿して熱エネルギーとして外部に放出する用途のものであるが、発熱の作用は効果に影響せず、吸湿の作用で効果に影響する。単なる水では効果はなく、吸放湿の物理的な作用のメカニズムで効果がでるため、吸放湿材料であれば固体状の樹脂でもよいが、現状では網状の繊維の方が吸放湿性能で高いため、吸湿繊維を好ましい条件とする。
【００４２】
ここで、性能向上のために導電性金属担持処理を加える場合、モイスファイン（商品名であり登録商標である）やベルオアシス（商品名であり登録商標である）に、日本イオン株式会社製のＮＡＮＯＰＵＲＥ  Ｍ−０２（商品名）の銀イオンナノコロイド液を直接繊維／樹脂にスプレーして吹きかけることで容易に導電性金属担持が実施できる。さらに性能向上のために無機イオン交換体を影響させる処理を加える場合、実施例としてさらに株式会社東芝製のルネキャット（商品名であり登録商標である）による酸化タングステン含有液を直接繊維／樹脂にスプレーして吹きかけることで無機イオン交換体を影響させる処理を実現できる。本処理の代わりに逆浸透膜フィルター及びイオン交換膜フィルターでろ過した純水を直接繊維／樹脂にスプレーして吹きかけた繊維／樹脂を用いることもでき、このように処理した繊維／樹脂も本発明の定義として無機イオン交換体影響繊維／樹脂と見なすものとする。有機物や微細粒子のような電荷を持たない物質は、イオン交換膜フィルターで除去しきれないため、逆浸透膜フィルターを複合した不純物除去をする。
【００４３】
さらなる吸湿繊維／樹脂に対する性能向上として、特開２０１０−１３７９１号公報に記述されている繊維／樹脂に対する超臨界によるポーラス処理を実施する。加圧処理では、温度設定を４０℃に設定した日本分光株式会社製の超臨界二酸化炭素反応システムに二酸化炭素を注入して繊維／樹脂に対して１時間処理する。これは、最終的に吸湿繊維／樹脂に処理をして総合的な性能向上を図るものである。原料繊維／樹脂の段階で個々に超臨界によるポーラス処理を実施したものを採用してもよいが、効率的に最終的な繊維／樹脂で処理をかけた方がコスト的にも効果的にも有利なため、最終段階の吸湿繊維／樹脂で実施する例を優先とする。なお、特開２０１０−１３７９１号公報に記述されている繊維に対する超臨界によるポーラス処理の代用として、繊維を水に置き換えて、加圧処理で、温度設定を４０℃に設定した日本分光株式会社製の超臨界二酸化炭素反応システムに二酸化炭素を注入して水に対して１時間処理する。常温、常圧に戻った超臨界処理後の水を繊維／樹脂にスプレーして吹きかけることで繊維／樹脂に対する超臨界によるポーラス処理を実施してもよいものとする。
【００４４】
導電性繊維３の働きは、導電性繊維のさらなる物量的な増強である。導電性繊維３は、アクリル繊維・ナイロン繊維に硫化銅を担持した導電性の繊維であるが、本実施例では本来の用途である静電気防止機能とは、全く別の働きである量子的なエネルギー準位の上昇のために導入する。シース４として用いられるアルミテープは、その一例であるが、接着ができるものであればいかなるテープを用いてもよい。導電性を増強するために例えば銅テープでもよい。なお、ビデオ、デジタル信号等の高周波系の対策にはアルミテープが向き、オーディオ帯域信号の低周波系の対策には、銅テープ、金テープが向く。どんな帯域でもオールラウンドな対策には、銀テープが向く。吸湿繊維２の長さに対応して、シース４のテープの長さも短くする。
【００４５】
実施例１は、素人でも自ら実施できる簡易な実施例であるが、ケーブルの製造業者の場合は、シース４として、ケーブルの製品の加工で一般的にシースとして使用されているポリエステル等の編組チューブを通してもよい。
【００４６】
（実施例２）
実施例２は、本発明を電源タップ１１に適用した例である。一般的なオーディオ専用の電源タップの筐体のシールドは、電源タップ１１の筐体１９の材質をアルミダイキャストのようなアルミを含む材料にして、グランドラインを筐体１９のアルミダイキャストに接続してシールドを実現している。本発明では、シールドの効果とは全く別の新しい量子効果のために実施例１で例を挙げた吸湿繊維と同じ材質の吸湿繊維１２を電源タップ１１の筐体１９に接着させる手段を取る。吸湿繊維１２の構造や吸湿繊維１２に対する導電性担持の方法や無機イオン交換体の影響の方法や超臨界処理によるポーラス処理の方法は実施例１の吸湿繊維２と全く同じである。
【００４７】
図２の電源タップ１１は、説明のために各材料の間隔を拡大して模式的に描かれているが、実際は密着している。実施例２は、既存の電源タップ１１の筐体１９の内側の底面に実施例１と同じ吸湿繊維１２を筐体１９の内側の底面のサイズより小さく切ったものを貼り、固定のためのテープ１５として、アルミテープで電源タップ１１の筐体１９の内側の底面へ吸湿繊維１２の４隅の部分を張り付ける。この実施例では、電源タップ１１の筐体１９の内側の底面の位置の例であるが、電源タップ１１の筐体１９に導通していれば、外側や内側のどの位置にテープ１５で貼ってもよい。吸湿繊維１２は、電源タップ１１の表面積よりも小さくして一部分だけにしても効果は多少落ちるが十分実用になる。
【００４８】
ここで、上記の実施例でさらに性能を上げるために吸湿繊維１２に導電性繊維１３を上に重ねても良い。この導電性繊維１３の大きさも電源タップ１１の表面積よりも小さくして一部分だけの使用でも十分効果を上昇させる。また、電源タップ１１の筐体１９はアルミダイキャストであり、導電性があるため、導電性繊維１３の位置は、吸湿繊維１２の上に重ねずに電源タップ１１の筐体１９の外側でも内側でもどの位置にテープ１５で貼ってもよい。ここで、テープ１５のアルミテープは、一例であるが、接着ができるものであればいかなるテープを用いてもよい。導電性を増強するために例えば銅テープでもよい。なお、ビデオ、デジタル信号等の高周波系の対策にはアルミテープが向き、オーディオ帯域の低周波信号には、銅テープ、金テープが向く。どんな帯域でもオールラウンドな対策には、銀テープが向く。吸湿繊維１２の大きさに対応して、テープ１５のテープの大きさも小さくする。単に固定が目的であるので、テープ１５は必要最小限の４隅の範囲だけでよい。
【００４９】
実施例２は、素人でも自ら実施できる簡易な実施例であるが、電源タップ１１の製造業者の場合は、電源タップ１１のアルミ筐体１９の板自体を上下から吸湿繊維１２や導電性繊維１３をサンドイッチ状に挟み込んで４隅をねじ留めした層の板にすることで実現することも可能である。
【００５０】
（実施例３）
図３は、本発明をバッテリー２１に適用した実施例であり、（１）は上面図であり、（２）は正面透視図、（３）は側面透視図である。図３は、説明のために各材料の間隔を拡大して模式的に描かれているが、実際は密着している。バッテリー２１の筐体２９の内側の底面には、実施例１の吸湿繊維２と同じ吸湿繊維２２を小さく切ったものを貼り、固定のためのテープ２５として、アルミテープでバッテリー２１の筐体２９の内側の底面へ吸湿繊維２２の４隅の部分を張り付ける。吸湿繊維２２のサイズは、バッテリー２１の筐体２９の内側の底面のサイズより小さくする。ここで、テープ２５のアルミテープは、一例であるが、接着ができるものであればいかなるテープを用いてもよい。導電性を増強するために例えば銅テープでもよい。なお、ビデオ、デジタル信号等の高周波系の対策にはアルミテープが向き、オーディオ帯域の低周波信号には、銅テープ、金テープが向く。どんな帯域でもオールラウンドな対策には、銀テープが向く。
【００５１】
実施例３では、バッテリー２１の筐体２９の内側の底面の位置の例であるが、バッテリー２１の筐体２９に導通していれば、外側や内側のどの位置にテープ２５で貼ってもよい。吸湿繊維２２は、バッテリー２１の表面積よりも小さくして一部分だけにしても効果は多少落ちるが十分実用になる。吸湿繊維２２の具体例や吸湿繊維に対する導電性担持の方法や無機イオン交換体の影響の方法や超臨界処理によるポーラス処理の方法は実施例１と全く同じである。ここで、実施例３でさらに性能を上げるために吸湿繊維２２に導電性繊維２３を上に重ねても良い。この導電性繊維２３の大きさもバッテリー２１の表面積よりも小さくして一部分だけの使用でも十分効果を上昇させる。また、バッテリー２１の筐体２９は金属であり、導電性があるため、導電性繊維２３の位置は、吸湿繊維２２の上に重ねずにバッテリー２１の筐体２９の外側でも内側でもどの位置にテープ２５で貼ってもよい。吸湿繊維２２の大きさに対応して、テープ２５のテープの大きさも小さくする。単に固定が目的であるので、テープ２５は必要最小限の４隅の範囲だけでよい。実施例３は、素人でも自ら実施できる簡易な実施例であるが、バッテリー２１の製造業者の場合は、バッテリー２１の金属筐体の板自体を上下から吸湿繊維２２や導電性繊維２３をサンドイッチ状に挟み込んで４隅をねじ留めした層の板にすることで実現することも可能である。
【００５２】
（実施例４）
図４は、本発明をプリント基板３１に適用した実施例である。図４は、説明のために各材料の間隔を拡大して模式的に描かれているが、実際は密着している。実施例４は、説明を簡単にするために２層のプリント基板３１の例で、図の上側をグランドプレーン専用面にしたものであるが、多層でも同様に実施可能である。図４では、既存のプリント基板３１のグランドプレーン専用面に実施例１と同じ吸湿繊維３２を基板３９のグランドプレーン専用面のサイズより小さく切ったものを貼り、固定のためのテープ３５として、アルミテープでプリント基板３１のグランドプレーン専用面へ吸湿繊維３２の４隅の部分を張り付ける。ここで、テープ３５のアルミテープは、一例であるが、接着ができるものであればいかなるテープを用いてもよい。導電性を増強するために例えば銅テープでもよい。なお、ビデオ、デジタル信号等の高周波系の対策にはアルミテープが向き、オーディオ帯域の低周波信号には、銅テープ、金テープが向く。どんな帯域でもオールラウンドな対策には、銀テープが向く。この実施例では、基板３９のうちグランドプレーン専用面の位置の例であるが、基板３９のグランドプレーン専用面の筐体に導通していれば、外側や内側のどの位置にテープ３５で貼ってもよい。
【００５３】
吸湿繊維３２は、基板３９のグランドプレーン専用面の表面積よりも小さくして一部分だけにしても効果は多少落ちるだけで十分実用になる。吸湿繊維３２の具体例や吸湿繊維に対する導電性担持の方法や無機イオン交換体の影響の方法や超臨界処理によるポーラス処理の方法は実施例１と全く同じである。ここで、上記の実施例でさらに性能を上げるために吸湿繊維３２に導電性繊維３３を上に重ねても良い。この導電性繊維３３の大きさもプリント基板３１のグランドプレーン専用面表面積よりも小さくして一部分だけの使用でも十分効果を上昇させる。また、プリント基板３１のグランドプレーン専用面は導電性があるため、導電性繊維３３の位置は、吸湿繊維３２の上に重ねずにプリント基板３１のグランドプレーン専用面のどの位置にテープ３５で貼ってもよい。吸湿繊維３２の大きさに対応して、テープ１６のテープの大きさも小さくする。単に固定が目的であるので、テープ１６は必要最小限の４隅の範囲だけでよい。実施例４は、素人でも自ら実施できる簡易な実施例であるが、プリント基板の製造業者の場合は、プリント基板のグランドプレーン層に吸湿繊維３２や導電性繊維３３をサンドイッチ状に挟み込んでさらに層を追加した多層プリント基板にすることで実現することも可能である。
【００５４】
（実施例５）
実施例５は、ＬＳＩ（大規模集積回路）４１に適用した実施例である。ここでは電気部品の一例としてＬＳＩ４１を用いて説明したが、ＬＳＩだけに限られずにプリント基板に搭載可能なＩＣ等のその他のすべての電気部品に置き換えて考えることができる。実施例５では、説明を簡単にするために直方体の形状の筐体４９を持つＬＳＩを代表として説明する。図５は説明のために各材料の間隔を拡大して模式的に描かれているが、実際は密着している。
【００５５】
図５は、筐体４９の天井に実施例１と同じ吸湿繊維４２を接着剤で貼り付ける。吸湿繊維４２のサイズは、筐体４９の天井面より小さいサイズに切ったものとする。吸湿繊維４２は、筐体４９の表面積よりも小さくして一部分だけにしても効果は多少落ちるだけで十分実用になる。吸湿繊維４２の具体例や吸湿繊維に対する導電性担持の方法や無機イオン交換体の影響の方法や超臨界処理によるポーラス処理の方法は実施例１と全く同じである。
【００５６】
実施例５でさらに性能を上げるために吸湿繊維４２に導電性繊維４３を上に重ねて接着剤で接着しても良い。この導電性繊維４３の大きさも筐体４９の表面積よりも小さくして一部分だけの使用でも十分効果を上昇させる。よって、より小さい表面積の吸湿繊維４２や導電性繊維４３を接着してもよい。また、電気部品の形状が直方体ではない形状の場合、その電気部品の形状に合わせて吸湿繊維４２や導電性繊維４３を切って接着する違いだけになる。
【００５７】
実施例５は、素人でも自ら実施できる簡易な実施例であるが、電気部品の製造業者の場合は、その筐体４９の板自体を吸湿繊維４２や導電性繊維４３をサンドイッチ状に挟み込んで多層構造の一体の板にすることで実現することも可能である。
【００５８】
（実施例６）
実施例６は、本発明を電気機器集合体５１に適用した実施例である。一般的な電気機器集合体５１の筐体５９のシールドは、筐体５９にグランドラインを接続してシールドを実現する、いわゆるフレームグランドと呼ばれるものである。本発明では、シールドの効果とは全く別の新しい量子効果のために実施例１で例を挙げた吸湿繊維２と同じものを電気機器集合体５１の筐体５９に接着させる手段を取る。吸湿繊維の具体例や吸湿繊維に対する導電性担持の方法や無機イオン交換体の影響の方法や超臨界処理によるポーラス処理の方法は実施例１と全く同じである。導電性繊維の接着手段もとる。
【００５９】
実施例６は、実施例２と筐体の大きさが中に入るプリント基板等の電気機器の大きさに広がるだけで、筐体に接着する実施例の方法は全く同じであるため、筐体に接着する説明は省略するが、図６に実施例１のケーブル体１とＬＳＩ４１に適用した実施例の系統図を示す。筐体４９内にバッテリー２１とプリント基板３１とＬＳＩ４１と内部配線用ケーブルと外部接続用のケーブルに実施例１のケーブル体１を使用した系統図の例である。
【００６０】
バッテリー２１から供給されるＤＣ電源が、内部配線用ケーブル５４を介して、プリント基板３１に供給される。プリント基板３１の内部に取り付けられたＬＳＩ４１は、説明の便宜上１つに描いているが、プリント基板３１の内部に取り付けられた電気部品を代表して表している。これらの電気部品で処理された信号が、外部用のケーブル５５から出力される。
【００６１】
（実施例７）
実施例７は、複数の電源タップを含み、実施例１のケーブル体１を含めて接続した直列接続の高性能ケーブル体６１である。電源タップ６３〜６５の中継を介して接続される複数のケーブル中に、ケーブル体１を直列に１本以上連結するだけで高性能ケーブル体６１が容易に実現できる。連結するケーブル体１は、２本以上の複数のケーブル体１を連結して連結数を増やすほど効果が高くなる。実施例１の電源タップ１１を含む位置は、どこの位置でも効果はでるが、供給する電気機器のコンセントが直接接続する最終段に実施例１の電源タップ１１を使用した方がより効果が高い。同様に実施例１のケーブル体１を含む位置は、どこの位置でも効果はでるが、供給する電気機器のコンセントが直接接続する最終段の電源タップ１１に実施例１のケーブル体１を使用した方がより効果が高い。
【００６２】
図７は、実施例７の高性能ケーブル体６１を示す。左に壁コンセントがあり、左から右に電気が流れて、右側の装置方向へ接続する。また、それぞれの周波数特性の異なるケーブル６２、６４、６６を３本直列に連結し、最後に実施例１のケーブル体１を接続する。
【００６３】
この実施例では、低域が強い従来のケーブル体６２、低域が強い従来の電源タップ６３、中域が強い従来のケーブル体６４、中域が強い従来の電源タップ６５、高域が強い従来のケーブル体６６、高域が強い従来の電源タップ６７に加えて、最後に全域でフラットにエネルギーレベルが高い実施例１のケーブル体１の順に接続する。
【００６４】
この実施例のように試行錯誤で各ケーブル体と各電源タップの特性が加算されてフラットになるように選択されると、全域がフラットでエネルギーレベルが高い実施例１のケーブル体１の１本の時よりもさらに電子の量子状態のエネルギー準位が全域でさらに高まる作用が生じるという優位性がさらに生まれる。ここで、各周波数特性を変える手段の一例として、筐体やシールド線や導線等の金属材料にアルミを含ませると高域が強くなり、筐体やシールド線や導線等の金属材料に銀を含ませると中域が強くなり、筐体やシールド線や導線等の金属材料に金や銅を含ませると低域が強くなると言った傾向を出すことが可能である。
【００６５】
（実施例８）
実施例８は、実施例１のケーブル体１および充電ケーブルおよび実施例２の電源タップを使用してバッテリーに充電する方法の実施例である。充電に使用されたケーブルまたは電源タップの供給源と同じ配電盤から供給する電源コンセントに他の任意の電気機器を接続して通電した状態で充電する。
【００６６】
図８は、本発明の第５発明のバッテリー搭載の電気機器への充電方法の実施例の系統図である。充電系統７１として、同じ配電盤７２に室内配線用のケーブル７３を介して２系統の壁コンセント７４、７８へ電源が供給される。さらに第１系統の壁コンセント７４から実施例１のケーブル体１を介して、電源タップ１１に電源が給電されている。電源タップ１１から、電源ケーブル７５を介して、ポータブル機器内充電回路７６に接続し、ポータブル機器内充電回路７６に接続ケーブル７７を介して、バッテリー２１に充電する。充電ケーブル７５については、ポータブル機器の従来の充電ケーブルを使用しても十分効果がでるが、より性能を上げたい場合、実施例１のケーブル構造を有してもよい。さらに第ｌ１系統の充電の電子の量子状態のエネルギー準位を上げるために、第２系統の壁コンセント７８にケーブル体１を介して他の任意の電気機器７９を通電して接続する。第２系統の接続の目的は消費電力を上げるだけの意味しかないため、他の任意の電気機器７９を通電して接続するという条件のみが必要になる。これは、第１系統の充電という行為自体元々消費電力が少なく、第２系統に消費電力の大きな他の任意の電気機器７９を通電して接続することで、第１系統への電子の量子状態のエネルギー準位が上昇することを初めて発見したからである。なお、この現象は、電源環境の一部にケーブル体１や電源タップ１１を使用したりして初めてでる現象であるため、本発明特有の新規性のある現象である。この現象は、第１系統の一部で実施例１のケーブル体１を介したり、実施例２の電源タップ１１を使用したりすれば、必ずしも第２系統でケーブル体１を介したり、実施例２の電源タップ１１を使用しなくても効果は十分であるが、第２系統でも、実施例１及び２のケーブル体１と電源タップ１１を使用した方がより効果が上がることも確認している。
【００６７】
（実施例９）
実施例９は、具体的な製品名を含めた構成での本発明の実験評価用の実施例である。
図９は、実施例９の構成を説明するための図である。
図９に示すように、家庭の壁に設けられている通常の壁コンセント８１に超低域（例えば、２０〜５０Ｈｚの超低音域）が強い電源ケーブル８２（単にケーブルともいう）を最初に接続する。
【００６８】
例えば、超低域が強い電源ケーブル８２の代表としては、ピューリストオーディオデザイン製の電源ケーブルである「Purist  Audio  Design（以下、PAD）/DOMINUS  AC  Rev.B  POWER  CABLE」が挙げられる。
なお、超低域が強いとは、オーディオ分野で一般に用いられている表現であり、人が聴いたときに、例えば、２０〜５０Ｈｚの超低音域が強く感じられることを意味し、オーディオ分野では、信号ケーブルだけに留まらず、電源ケーブルにおいても、各音域に合わせたものがあり、ピューリストオーディオデザイン製の電源ケーブルである「Purist  Audio  Design（以下、PAD）/DOMINUS  AC  Rev.B  POWER  CABLE」は超低域が強いものとして知られている。以下の説明においても同様である。
【００６９】
この電源ケーブル８２は、壁コンセント８１（図９のＣ参照）に接続する側が、図９に示すように三又コネクタＣ１になっているので、壁コンセント８１に接続するために、２極-３極変換コネクタＡを介して接続を行うようにしている。
【００７０】
そして、電源ケーブル８２の壁コンセント８１に接続される側と反対側に、電源タップ８３（１）を接続する。
例えば、電源タップ８３（１）の代表としては、ベルデン製の電源タップである「BELDEN/  POWER  TAP  PS1850」が挙げられ、この電源タップの入力側（図９のＣ３参照）は、電源ケーブル８２の三又コネクタＣ１でない方のコネクタＣ２に対応したものになっており、電源ケーブル８２をそのまま接続することができる。
【００７１】
さらに、その電源タップ８３（１）の出力側に２本目の超低域が強い電源ケーブル８２を接続する。
なお、図９に示すように、電源タップ８３（１）の出力側の差込口Ｃ４は、三又コネクタＣ１に対応しているため、先ほどのように、２極-３極変換コネクタＡを介す必要がなく、そのまま直接接続している。
【００７２】
引き続き、２本目の電源ケーブル８２の後に、先ほどと同様に電源タップ８３（２）を接続する。
なお、電源タップ８３（１）と電源タップ８３（２）は、同じ種類の電源タップであり、後に付けている「（１）」、「（２）」の記載は、壁コンセント８１側を１番目して、そこから何番目に位置する電源タップ８３であるかを示しているだけであり、後ほど出てくる電源タップ８３（３）から電源タップ８３（７）も同じである。
【００７３】
次に、電源タップ８３（２）の出力側に中低域（例えば、１００〜３００Ｈｚの中低音域）の強い電源ケーブル８４（単にケーブルともいう）を接続する。
例えば、中低域の強い電源ケーブル８４の代表としては、エヌビーエス製の電源ケーブルである「NBS  AUDIO  CABLES（以下、NBS）/STATEMENT II  POWER  CABLE  1.5ｍ」が挙げられる。
この電源ケーブル８４も電源ケーブル８２と同様に、一方に設けられているコネクタが三又コネクタになっており、電源タップ８３（２）の出力側の差込口に直接できるようになっている。
【００７４】
そして、その電源ケーブル８４の後に、電源タップ８３（３）を接続する。
なお、電源ケーブル８４の三又コネクタでない方のコネクタは、電源タップ８３（３）の入力側に対応するコネクタになっているので、直接、電源タップ８３（３）に接続することができる。
【００７５】
さらに、その電源タップ８３（３）の出力側に中高域（例えば、２０００〜５０００Ｈｚの中高音域）の強い電源ケーブル８５（単にケーブルともいう）を接続し、電源ケーブル８５の後に電源タップ８３（４）を接続する。
例えば、中高域の強い電源ケーブル８５の代表としては、エヌビーエス製の電源ケーブルである「NBS/  BLACK  LABEL  A/C  POWER  CABLE  1.8ｍ」が挙げられ、この電源ケーブルも、これまでの電源ケーブルとコネクタ部分は、同様であるため、直接、電源タップ８３（３）と電源タップ８３（４）に接続することができる。
【００７６】
そして、さらに、電源タップ８３（４）の出力側に中域（例えば、３００〜２０００Ｈｚの中音域）から超高域（例えば、１００００〜２００００Ｈｚの超高音域）まで広く強い、つまり、３００Ｈｚから２００００Ｈｚまで広く強い電源ケーブル８６（単にケーブルともいう）を接続するとともに、その電源ケーブル８６の後に電源タップ８３（５）を接続する。
例えば、中域から超高域まで広く強い電源ケーブル８６の代表としては、シナジスティックリサーチ製の「SYNERGISTIC  RESEARCH/  DESIGNERS‘REFERENCE  SQUARED  AC  MASTER  COUPLER  POWER  CABLE  1.8ｍ」が挙げられ、この電源ケーブルも、これまでの電源ケーブルとコネクタ部分は、同様であるため、直接、電源タップ８３（４）と電源タップ８３（５）に接続することができる。
【００７７】
そして、この電源タップ８３（５）に実施例１で示した方法で改造を施した電源ケーブル８７を接続するとともに、その電源ケーブル８７の後に電源タップ８３（６）を接続する。
【００７８】
ここで、以下、具体的に実施例１に基づく改造方法で改良を施した電源ケーブル８７の一例を説明する。
元々の電源ケーブル（以下、元電源ケーブル又は元ケーブルともいう、）として、例えば、柳田オーディオケーブル製の電源ケーブル（柳田オーディオケーブル/  MASTER2  POWER  CABLE」）を準備した。
【００７９】
なお、この元電源ケーブルとしての柳田オーディオケーブル製の電源ケーブルも、これまでの電源ケーブルとコネクタ部分は、同様であるため、直接、電源タップ８３（５）と電源タップ８３（６）に接続することができる。
【００８０】
次に、その元電源ケーブルの外周に巻く実施例１の吸湿繊維２（第１材料）に相当する代表的なものとして、東洋紡株式会社製の布団の下に敷くモイスファイン（登録商標）のシートを準備し、そのシートを元電源ケーブルのサイズに合わせてまず切り、性能向上のために日本イオン株式会社製のＮＡＮＯＰＵＲＥ  Ｍ−０２（商品名）の銀イオンナノコロイド液を直接モイスファイン全体に表裏くまなくスプレーして吹きかける。
【００８１】
さらに、株式会社東芝製のルネキャット（登録商標）による酸化タングステン含有液を直接モイスファイン全体に表裏くまなくスプレーして吹きかけて、このように銀イオンナノコロイド液と酸化タングステン含有液を順に含浸させたモイスファインを元電源ケーブルの外周に巻く。
【００８２】
次に、吸湿繊維２の上に巻く、実施例１の導電性繊維３に相当する代表的なものとして、日本蚕毛染色株式会社製のサンダーロン（登録商品）を、先ほどと同様に、元電源ケーブルのサイズに合わせて切り、性能向上のために日本イオン株式会社製のＮＡＮＯＰＵＲＥ  Ｍ−０２（商品名）の銀イオンナノコロイド液を、直接、サンダーロン（登録商品）全体に表裏くまなくスプレーして吹きかける。
【００８３】
さらに、株式会社東芝製のルネキャット（登録商標）による酸化タングステン含有液を、直接、サンダーロン（登録商品）全体に表裏くまなくスプレーして吹きかけて、このように銀イオンナノコロイド液と酸化タングステン含有液を順に含浸させたサンダーロンを、先ほど元電源ケーブルの外周に巻いたモイスファインの外周に重ねて巻く。
【００８４】
最後に、実施例１のシース４の代表的なものとして、アルミテープを最外周全域に丁寧に横巻きして、実施例１のケーブルの両端のコネクタ８に対応する元電源ケーブルに付属の両端のコネクタの一部まで筒状に被覆し、このアルミテープによりケーブル全体へモイスファイン（登録商標）とサンダーロン（登録商標）を固定する。
【００８５】
このように元電源ケーブルを改造した電源ケーブル８７の後に、先ほど説明したように電源タップ８３（６）が接続されている。
【００８６】
さらに、電源タップ８３（６）の出力側に、先ほど説明したのと同じ電源ケーブル８７を接続し、その電源ケーブル８７に電源フィルター９３が接続されている。
例えば、電源フィルター９３の代表としては、（株）アスカ工業製の「ASUKA/電源フィルター  FIL-MASTER-PRO II」が挙げられる。
【００８７】
そして、この電源フィルター９３に対して、さらに、先ほど説明したのと同じ電源ケーブル８７を接続し、その電源ケーブル８７の後には、これまでと同様に電源タップ８３（７）が接続され、その電源タップ８３（７）に電源の強力なハイエンドオーディオ機器９４を接続している。
具体的には、電源の強力なハイエンドオーディオ機器９４の代表としては、ティアック（株）製の「ESOTERIC/  CDトランスポート  P-0」が挙げられる。
【００８８】
また、電源タップ８３（７）のハイエンドオーディオ機器９４が接続されているのとは異なる出力側のコンセントに対して、超高精度クロックのハイエンドオーディオ機器９５を接続し、電源タップ８３（７）に並列にハイエンドオーディオ機器９４とハイエンドオーディオ機器９５が接続されているようにしている。
例えば、超高精度クロックのハイエンドオーディオ機器９５の代表としては、（株）サイバーシャフト製の「CYBERSHAFT/  超高精度OCXO  10MHｚクロック  PREMIUM」が挙げられる。
なお、ハイエンドオーディオ機器９４及びハイエンドオーディオ機器９５は、後述する充電時に電源がＯＮの状態にされる。
【００８９】
この電源フィルター９３、電源の強力なハイエンドオーディオ機器９４及び超高精度クロックのハイエンドオーディオ機器９５は、特徴として、いずれもハイエンドオーディオ機器特有の低ESR（等価直流抵抗）コンデンサを含むものであり、本発明の電源に並列に接続されることで、発明の改質した電子がコンデンサに溜まって、発明の効果を上げる効果を狙ったものである。
特に電源フィルター９３は、超低ESR（等価直流抵抗）コンデンサを含むものであり電源全体のノイズも平滑する効果があり、効果が向上するものである。
【００９０】
以上のような構成のもと、先に説明した電動アシスト自転車及びオーディオプレーヤー９０の本発明の充電を行った。
具体的には、図９の左から６番目の電源タップ８３（６）の出力側に電動アシスト自転車に附属の充電器９２を接続して、電力を供給し、本発明の充電を電動アシスト自転車に附属のバッテリーに対して行った。
【００９１】
なお、先に述べた従来の充電では、電源ケーブル８７を介することなく、図９の壁コンセント８１に、直接、電動アシスト自転車に附属の充電器９２を接続して、電力を供給し、電動アシスト自転車に附属のバッテリーに対して充電を行っている。
【００９２】
同様に、図９の左から６番目の電源タップ８３（６）にApple/iPOD Shuffle ME949J/A附属のＡＣコンセント８８を接続し、Apple/iPOD Shuffle ME949J/A附属の充電ケーブル８９をＡＣコンセント８８に接続して、充電ケーブル８９にオーディオプレーヤー９０（Apple/iPOD Shuffle ME949J/A）を接続することで、電力を供給し、本発明の充電を行った。
なお、充電はフル充電としている。
【００９３】
一方、従来の充電としては、図９の壁コンセント８１に、Apple/iPOD Shuffle ME949J/A附属のＡＣコンセント８８を接続し、Apple/iPOD Shuffle ME949J/A附属の充電ケーブル８９をＡＣコンセント８８に接続して、充電ケーブル８９にオーディオプレーヤー９０（Apple/iPOD Shuffle ME949J/A）を接続することで行っている。
なお、この充電もフル充電としている。
【００９４】
また、先に説明したとおり、試聴時には、オーディオプレーヤー９０にオーム電機/  カナルインナーホン  ブルーHP-B140K-A９１であるイヤホン９１を接続して試聴している。
【００９５】
そして、本発明の充電の方が、従来の充電に比較して、電動アシスト自転車の走行距離が長く、かつ、音質がいいという結果であったことは、先に説明したとおりである。
【００９６】
以上、具体的な実施例に基づいて本発明について説明してきたが、本発明は、上記の具体的な実施例に限定されるものではない。
【００９７】
例えば、実施例９では、元電源ケーブルに柳田オーディオケーブル製の電源ケーブル（柳田オーディオケーブル/  MASTER2  POWER  CABLE」）を用いたが、元電源ケーブルはこれに限定される必要はなく、元電源ケーブルには、例えば、図１０に一例として示すような一般的な電源ケーブルを用いることができる。
【００９８】
つまり、元電源ケーブルは、一対の電線ＣＡと、一対の電線ＣＡを覆う緩衝材からなる緩衝層Ｂと、その緩衝層Ｂの外周を覆う銅箔等のシールド層Ｓと、そのシールド層Ｓを覆うポリエチレン等の絶縁樹脂の絶縁外皮Ｐと、を備えるものであればよい。
なお、一対の電線ＣＡも一般的なものでよく、例えば、電線ＣＡは、銅等の導電材料が用いられた単線導体Ｍと、単線導体Ｍの外周を覆うポリエチレン等の絶縁樹脂の絶縁層Ｉを有するものが挙げられる。
【００９９】
また、実施例１では固定のためにシース４としてアルミテープが用いられ、実施例９でも電源ケーブル８７にアルミテープが用いられているが、アルミテープに限定される必要はなく、アルミテープをマグネシウム、銅、ロジウム、銀又は金等の金属のテープ（金属製のシース）としてもよい。
【０１００】
さらに、実施例２の電源タップ１１の例での固定のためのテープ１５、実施例３のバッテリー２１の例での固定のためのテープ２５、及び、実施例４のプリント基板（基板）の例での固定のためのテープ３５も上記と同様に、アルミテープに代えてマグネシウム、銅、ロジウム、銀又は金等の金属のテープを用いるようにしてもよい。
【０１０１】
加えて、実施例５の電気部品の例での吸湿繊維４２の筐体４９への貼り付けや実施例６の電気機器集合体の例での実施例１で例を挙げた吸湿繊維２と同じ物の筐体５９への接着（貼り付け）にアルミ、マグネシウム、銅、ロジウム、銀又は金等の屈折率が１以下である金属のテープを用いてもよい。
なお、金属のテープは厚さが薄くてもよく、薄膜テープであってもよい。
【０１０２】
さらに、実施例９では、電源ケーブル８７よりも壁コンセント８１側に超低域が強い電源ケーブル８２、中低域の強い電源ケーブル８４、中高域の強い電源ケーブル８５及び中域から超高域まで広く強い電源ケーブル８６が設けられ、電源ケーブル８７に電力が供給される前に、超低域が強い電源ケーブル８２、中低域の強い電源ケーブル８４、中高域の強い電源ケーブル８５及び中域から超高域まで広く強い電源ケーブル８６が介在している。
【０１０３】
しかし、これら全ての電源ケーブル（電源ケーブル８２、電源ケーブル８４、電源ケーブル８５及び電源ケーブル８６）が介在している必要はなく、電源ケーブル８７に電力が供給される前に、総合的に聴感上の周波数特性を補完する周波数特性の異なる電源ケーブルを1本以上介在させて可聴帯域全域に渡りフラットに聴感上のエネルギーを上昇させるようにすればよい。
【０１０４】
このように、本発明は、実施例に限定されるものではなく、様々な変形や改良を加えたものも本発明の技術的範囲に含まれるものであり、そのことは当業者にとって特許請求の範囲の記載から明らかである。
【０１０５】
以下に、優先権の基礎となる先の出願の願書に最初に添付した特許請求の範囲に記載した発明を付記する。付記に記載した請求項の項番は、先の出願の願書に最初に添付した特許請求の範囲のとおりである。
＜請求項１＞
吸湿繊維、吸湿樹脂、無機イオン交換体影響繊維、無機イオン交換体影響樹脂、超臨界影響繊維、または、超臨界影響樹脂または前記３種の繊維／樹脂を複合した繊維／樹脂を外皮として採用するケーブル、電源タップ、バッテリー、プリント基板、ＬＳＩ／ＩＣ部品、または、その他の電気部品を介して電気機器に流れる電子のエネルギー効率を上昇させることを特徴とする電子改質方法。
＜請求項２＞
請求項１のケーブルを最低１本以上含むかまたは請求項１の電源タップを最低１台以上含む特性の異なるケーブルを複数直列に連結したケーブル。
＜請求項３＞
部品に請求項１のケーブルまたは請求項２のケーブルまたは請求項１の電源タップまたは請求項１のバッテリーまたは請求項１のプリント基板または請求項１のＬＳＩ／ＩＣ部品または請求項１のその他の電気部品を使用した電気機器。
＜請求項４＞
バッテリーまたはバッテリー搭載の電気機器において、請求項１のケーブルまたは請求項２のケーブルまたは請求項１の電源タップを使用してバッテリーに充電する方法およびその方法で充電したバッテリーおよびそのバッテリーを搭載した電気機器。
＜請求項５＞
請求項４において充電に使用されたケーブルまたは電源タップの供給源と同じ配電盤から供給する電源コンセントに他の電気機器を接続して通電した状態で充電する方法またはその方法で充電したバッテリーまたはそのバッテリーを使用した電気機器。
【産業上の利用可能性】
【０１０６】
本発明にかかる電子改質方法は、電気機器に極めて広く適用できる可能性を持つものであるが、特に周波数特性を持つ信号を扱う電気機器で広く適用できる。このため、特に人間が見たり、聴いたりするビデオ系やオーディオ系の電気機器や機械的なモーター系の電気機器で有効に適用できる。周波数特性を持つ信号を扱わない場合でも出力する電力エネルギーが上昇するため、光または音または磁気または電波または熱またはイオン等のエネルギーを出力する電気機器で出力するエネルギーが上昇するので、広く有効に適用できる。また、バッテリー搭載の電気機器の充電手段で本発明を適用することで極めて広くバッテリー搭載の電気機器すべてに適用できる可能性をもつ。また、電力自由化に伴い、電力の質が問われる時代になり、質の良い電力を供給するため、電力を改善するための基礎技術として適用できる。
【符号の説明】
【０１０７】
１：ケーブル体
２：吸湿繊維
３：導電性繊維
４：シース
５：熱収縮チューブ
７：ケーブル
８：コネクタ
１１：電源タップ
１２：吸湿繊維
１３：導電性繊維
１５：テープ
１９：筐体
２１：バッテリー
２２：吸湿繊維
２３：導電性繊維
２５：テープ
２９：筐体
３１：プリント基板
３２：吸湿繊維
３３：導電性繊維
３５：テープ
３９：筐体
４１：ＬＳＩ
４２：吸湿繊維
４３：導電性繊維
４９：筐体
５１：電気機器集合体
５４：内部配線用ケーブル
５５：外部用のケーブル
５９：筐体
６１：高性能ケーブル体
６２：低域が強い従来のケーブル体
６３：低域が強い従来の電源タップ
６４：中域が強い従来のケーブル体
６５：中域が強い従来の電源タップ
６６：高域が強い従来のケーブル体
６７：高域が強い従来の電源タップ
６８：全域でフラットにエネルギーレベルが高い第１の発明のケーブル体
７１：充電系統
７２：配電盤
７３：室内配線用のケーブル
７４：壁コンセント
７５：電源ケーブル
７６：ポータブル機器内充電回路
７７：充電ケーブル
７８：壁コンセント
７９：任意の電気機器
８１：壁コンセント
８２：超低域が強い電源ケーブル
８３(１)、(２)、(３)、(４)、(５)、(６)、(７)：電源タップ
８４：中低域の強い電源ケーブル
８５：中高域の強い電源ケーブル
８６：中域から超高域まで広く強い電源ケーブル
８７：改良を施した電源ケーブル
８８：ＡＣコンセント
８９：充電ケーブル
９０：オーディオプレーヤー
９１：イヤホン
９２：電動アシスト自転車に附属の充電器
９３：電源フィルター
９４：電源の強力なハイエンドオーディオ機器
９５：超高精度クロックのハイエンドオーディオ機器
Ｍ：単線導体
Ｉ：絶縁層
ＣＡ：電線
Ｂ：緩衝層
Ｓ：シールド層
Ｐ：絶縁外皮
【図１】
2018056228.tif 000003
【図２】
2018056228.tif 000004
【図３】
2018056228.tif 000005
【図４】
2018056228.tif 000006
【図５】
2018056228.tif 000007
【図６】
2018056228.tif 000008
【図７】
2018056228.tif 000009
【図８】
2018056228.tif 000010
【図９】
2018056228.tif 000011
【図１０】
2018056228.tif 000012
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
最外層に絶縁外皮を有する元ケーブルと、
前記元ケーブルの絶縁外皮上に設けられた第１材料と、
前記第１材料上に設けられ、アルミニウム、マグネシウム、銅、ロジウム、銀又は金を材料とした金属製のシースと、を備え、
前記第１材料が、吸湿繊維、無機イオン交換体影響繊維、超臨界影響繊維、又は、前記繊維のうちの２種以上の繊維を混合した複合繊維、又は、吸湿樹脂、無機イオン交換体影響樹脂、超臨界影響樹脂、又は、前記樹脂のうち２種以上を混合した混合樹脂であり、
前記第１材料が、吸湿繊維、無機イオン交換体影響繊維、超臨界影響繊維、及び、前記繊維のうちの２種以上の繊維を混合した複合繊維であり、
前記第１材料には、銀イオンナノコロイド液と酸化タングステン含有液が含浸されていることを特徴とするケーブル。
【請求項２】
前記第１材料と前記シースの間に設けられた導電性繊維を備え、
前記導電性繊維には、銀イオンナノコロイド液と酸化タングステン含有液が含浸されていることを特徴とする請求項１に記載のケーブル。
【請求項３】
最外層に絶縁外皮を有する元ケーブルと、
前記元ケーブルの絶縁外皮上に設けられた第１材料と、
前記第１材料上に設けられ、アルミニウム、マグネシウム、銅、ロジウム、銀又は金を材料とした金属製のシースと、を備え、
前記第１材料が、吸湿繊維、無機イオン交換体影響繊維、超臨界影響繊維、又は、前記繊維のうちの２種以上の繊維を混合した複合繊維、又は、吸湿樹脂、無機イオン交換体影響樹脂、超臨界影響樹脂、又は、前記樹脂のうち２種以上を混合した混合樹脂であり、
前記第１材料と前記シースの間に設けられた導電性繊維を備え、
前記導電性繊維には、銀イオンナノコロイド液と酸化タングステン含有液が含浸されていることを特徴とするケーブル。
【請求項４】
機器又はバッテリーに電力を供給する電力供給方法であって、
請求項１から請求項３のいずれか１項に記載のケーブルを介して電力を機器又はバッテリーに供給することを特徴とする電力供給方法。
【請求項５】
前記ケーブルに電力が供給される前に、総合的に聴感上の周波数特性を補完する周波数特性の異なるケーブルを１本以上介在させて可聴帯域全域に渡りフラットに聴感上のエネルギーを上昇させることを特徴とする請求項４に記載の電力供給方法。
【請求項６】
バッテリーを備える機器であって、
請求項４又は請求項５の電力供給方法で充電が行われたバッテリーを備えることを特徴とする機器。
【請求項７】
電源タップの筐体、バッテリーの筐体、電気部品の筐体又は電気機器集合体の筐体のいずれか１つを有する機器であって、
前記筐体に接触させるように設けられた第１材料を備え、
前記第１材料が、吸湿繊維、無機イオン交換体影響繊維、超臨界影響繊維、又は、前記繊維のうちの２種以上の繊維を混合した複合繊維、又は、吸湿樹脂、無機イオン交換体影響樹脂、超臨界影響樹脂、又は、前記樹脂のうち２種以上を混合した混合樹脂であり、
前記第１材料は、アルミニウム、マグネシウム、銅、ロジウム、銀又は金を材料とした金属製の薄膜テープで固定されていることを特徴とする機器。
【請求項８】
基板を有する機器であって、
基板のグランドプレーン専用面に接触させるように設けられた第１材料を備え、
前記第１材料が、吸湿繊維、無機イオン交換体影響繊維、超臨界影響繊維、又は、前記繊維のうちの２種以上の繊維を混合した複合繊維、又は、吸湿樹脂、無機イオン交換体影響樹脂、超臨界影響樹脂、又は、前記樹脂のうち２種以上を混合した混合樹脂であることを特徴とする機器。
【請求項９】
前記第１材料は、アルミニウム、マグネシウム、銅、ロジウム、銀又は金を材料とした金属製の薄膜テープで固定されていることを特徴とする請求項８に記載の機器。
【国際調査報告】
2018056228.tif 000013
2018056228.tif 000014
2018056228.tif 000015
2018056228.tif 000016
2018056228.tif 000017
2018056228.tif 000018
2018056228.tif 000019
2018056228.tif 000020
2018056228.tif 000021